(57)【要約】【課題】  従来、ＩＰ電話用モデムを内蔵したＶｏＩＰ電話機や、ＩＰ電話用モデム機器を外付けするＶｏＩＰ電話機や、インターネットのプロバイダーが供給するＴＡ（テレフォニーアダプター）などが提供されている。しかし、次の課題がある。（１）公衆電話回線用電話機とは、別にＶｏＩＰ用電話機を購入する必要が生じる。（２）プロバイダーが供給するＴＡは、公衆電話回線用電話機が接続可能であるが、電話会社のサービス；例えばモデムダイヤルインに対応していない。（３）いままでのＶｏＩＰ電話機は、ＶｏＩＰ電話の通信データの拡張的利用を考慮した設計にはなっていない。【解決手段】  スプリッタの通話信号の入出力ラインと、前記デジタル信号をアナログ音声データに変換する変換手段の出力、および前記アナログ音声信号をデジタル信号に変換する変換手段の入力とを切り換える切り換え手段を持つＶｏＩＰ電話用アダプター。【選択図】  図１
2006025102.tif 000002
【特許請求の範囲】
【請求項１】
市販されている一般的な公衆電話回線用電話機を複数接続する接続手段と、前記接続手段を切り換える切り換え手段と、アナログ音声信号をデジタル音声データに変換する変換手段と、デジタル音声データをアナログ音声信号に変換する変換手段と、デジタル音声データをＡＤＳＬモデムにパケットとして送出し、またＡＤＳＬモデムから来るパケットを受けるパケット送受信手段を持ち、Ｖ．２３に準拠したモデム信号を受信する受信手段と、擬似的に呼び出し信号を発生する擬似呼び出し信号発生手段と、公衆電話回線の極性を識別する極性識別手段と、電話番号等を表示する表示手段と、公衆電話回線と接続する接続手段と、ＡＤＳＬモデムとスプリッタを具備し、スプリッタの通話信号の入出力ラインと、前記デジタル信号をアナログ音声データに変換する変換手段の出力、および前記アナログ音声信号をデジタル信号に変換する変換手段の入力とを切り換える切り換え手段を持つＶｏＩＰ電話用アダプター。
【請求項２】
前記Ｖ．２３に準拠したモデム信号を受信する受信手段において、公衆電話回線を利用したモデムダイヤルインサービスに対応可能な手段を具備し、公衆電話回線用電話機を複数接続する接続手段において、モデムダイヤルインサービスに応じてその接続手段を切り換えることを特徴としたＶｏＩＰ電話用アダプター。
【請求項３】
前記デジタル音声データをアナログ信号に変換する変換手段において、音声データに付記された発信者データをデコードするデコード手段をも具備し、そのデコードした発信者データを表示手段に表示することを特徴としたＶｏＩＰ電話用アダプター。
【請求項４】
ＬＡＮ接続手段を持つことで、ＰＣ等を接続可能とし、ＡＤＳＬモデムを利用してインターネット等の利用を可能としたＶｏＩＰ電話用アダプター。
【発明の詳細な説明】
【技術分野】
【０００１】
本発明は、ブロードバンドの代表的なＡＤＳＬを用いたＶｏＩＰ電話を行なうことはもとより、従来の公衆電話回線を用いる電話をも使用可能としたＶｏＩＰ電話用アダプターであり、公衆電話回線のモデムダイヤルインサービスにも対応可能なＶｏＩＰ電話用アダプターに関するものである。
【背景技術】
【０００２】
近年、通信網がブロードバンド化し、大容量のデータの高速通信を可能にし、さらに通信料金も低価格化に進んできている。
【０００３】
これに伴い、ＶｏＩＰ電話が登場し、通信網の高速化により普及に拍車をかけている。ＶｏＩＰ電話の歴史が浅いため、従来の技術としては、ＩＰ電話用モデムを内蔵したＶｏＩＰ電話機や、ＩＰ電話用モデム機器を外付けするＶｏＩＰ電話機や、インターネットのプロバイダーが供給するＴＡ（テレフォニーアダプター）などが提供されている。
【発明の開示】
【発明が解決しようとする課題】
【０００４】
しかしながら、前記した従来のＶｏＩＰ電話機およびＶｏＩＰ用ＴＡでは、
（１）現在各家庭で用いられている公衆電話回線用電話機とは、別にＶｏＩＰ用電話機を購入する必要が生じる。
（２）またプロバイダーが供給するＴＡにおいては、公衆電話回線用電話機が接続可能であるが、その公衆電話回線を提供する電話会社の電話サービス；例えばモデムダイヤルイン等のサービスに対応できないものが一般的であった。
（３）いままでのＶｏＩＰ電話機は、ＶｏＩＰ電話の通信データの拡張的利用を考慮した設計にはなっていない。（通信データの送り主のデータ等の利用）
という課題がある。
【課題を解決するための手段】
【０００５】
公衆電話回線用電話機を複数接続する接続手段を持ち、アナロク音声信号をデジタル音声データに変換する変換手段と、デジタル音声データをアナログ音声信号に変換する変換手段を持つため、音声データをＩＰパケットとして転送でき、ＩＰパケットとして送られてきた音声データをアナログ音声信号に変換可能としている。
【０００６】
このため、ＡＤＳＬを用いたＶｏＩＰ電話通話に対応できる。
【０００７】
Ｖ．２３のモデム信号を受信し、デコードする手段を持ち、公衆電話回線の極性を識別する極性識別手段を持ち、擬似的に呼出信号を発生する擬似呼出信号発生手段を持つため、公衆電話回線より送られてくるモデムダイヤルインサービスに対応可能となり、公衆電話回線での電話通話も可能となる。
【０００８】
本発明は、ＡＤＳＬＭＤＥＭ（モデム）とスプリッタを具備し、公衆電話回線と接続する接続手段を持ち、公衆電話回線を用いてＡＤＳＬおよび通常回線の双方の電話による通話を可能とするものである。
【発明の効果】
【０００９】
以上説明したように本発明は、ＡＤＳＬＭＯＤＭ（ＡＤＳＬモデム）とスプリッタを具備して、公衆電話回線に接続する手段を備え、音声信号をパケットデータに変換したりパケットデータを音声信号に変換する手段を持ち、電話会社が提供する通常の電話回線にも対応する手段を持つために、公衆電話回線を用いてＡＤＳＬおよび通常回線の双方の電話による通話を行なうことができる。
【発明を実施するための最良の形態】
【００１０】
図１は、本発明の一実施例であるＶｏＩＰ電話用アダプターのブロック図である。公衆電話回線１に接続し、スプリリッタ２で、通常の電話通信信号帯域とＡＤＳＬＭＯＤＥＭ３の使用する信号帯域に分離する。
【００１１】
ＣＰＣ６は、ＲＯＭ７に格納された制御プログラムにしたがって装置全体を制御する。
【００１２】
ＲＡＭ８は、ＣＰＵ６のワークエリアとして使用されるとともに、各種データが格納される。
【００１３】
極性識別部４は、公衆電話回線１の極性を検出し、Ｖ．２３受信部５はモデムダイヤルインサービスで送られてくるダイヤルデータを受信し、デコードする。
【００１４】
パケット送受信部９は、これからパケットとして送出するためにアナログ信号デジタル信号変換部１０または音声パケットとして受信したデジタル信号を音声に変換するデジタル信号アナログ信号変換部１１に接続している。
【００１５】
表示部１２は、電話番号表示や、ＴＥＬ接続部１６〜１９に接続された電話のうちどれが使用されているか等の表示を行なう。
【００１６】
ＶｏＩＰ−公衆電話回線切り換え部１３は、接続電話機切り換え部１４からの信号を、ＶｏＩＰ電話としてか、公衆電話回線を利用する通話かを切り換えるものである。
【００１７】
ＴＥＬ接続部１６〜１９は、従来公衆電話回線用に使用していた電話機を接続するものである。
【００１８】
ＬＡＮ接続部２０は、ＰＣ（パーソナルコンピュータ）等ＬＡＮケーブルで接続するための接続部である。
【００１９】
電源部２１は、本発明の各部分に電源を供給するものである。
【００２０】
ＶｏＩＰ電話を行なう場合について説明する。
【００２１】
ＴＥＬ接続部１６に接続された電話機から、０５０の局番で発呼動作を開始すると、接続電話切り換え部１４が、ＩＰ電話で通話すると判断して、ＣＰＵ６に検出データを送出する。ＣＰＵ６は、ＶｏＩＰ−公衆電話回線切り換え部１３を、アナログ音声デジタル信号変換部１０、デジタル信号アナログ信号変換部１１側に切り換える。
【００２２】
発呼データは、アナログ音声デジタル信号変換部を経由して、パケット送受信部９を通り、ＡＤＳＬＭＤＭ３より、スプリッタ２を通してプロバイダー：ＩＰＳに送られる。
【００２３】
プロバイダー：ＩＰＳを介して通話相手との呼が成立すると、相手の送話内容がデジタル信号のパケットデータとして送られてくる。
【００２４】
このパケットデータは公衆電話回線１を通り、スプリッタ２でＡＤＳＬＭＯＤＥＭ３側に分別される。
【００２５】
パケット送受信部９で受け取られたパケットデータは、デジタル信号アナログ音声変換部１１で音声信号に変換され、ＶｏＩＰ−公衆電話回線切り換え部１３、接続電話機切り換え部１４を経由してＴＥＬ接続部１６に接続された電話機の受話部に音声（相手の声）として出力される。
次に、ＴＥＬ接続部１６に接続した電話機から送話した場合について説明すると、送話信号は、ＴＥＬ接続部１６、接続電話切り換え部１４、ＶｏＩＰ−公衆電話回線切り換え部１３を通って、アナログ音声デジタル信号変換部１０に入力される。そこで、パケットデータに変換されパケット送受信部９を介して、ＡＤＳＬＭＯＤＥＭ３、スプリッタ２を経由して、プロバイダー：ＩＰＳに送られる。これが、ＶｏＩＰ電話としての基本的な通話の説明である。
上述したように、音声信号をパケットデータとして送信、受信動作を行なうため、ＴＥＬ接続部１６以外のＴＥＬ接続部１７、１８、１９の電話機を同時に使用することが可能となる。
つまり、パケット送受信部９において、ＴＥＬ接続部１６、１７、１８、１９に接続されたどの電話機による通話であるのかを管理、識別して、接続電話切り換え部１４にてそれぞれの音声信号を該当する電話機に送出または受信するように制御することで対応可能となる。
【００２６】
従来より行なわれている公衆電話回線を用いての通話について説明する。
【００２７】
ＴＥＬ接続部１６に接続された電話機より、０３−１２３−４５６と発呼された場合、これは公衆電話回線を使用すると接続電話機切り換え部１４が判定し、CPU６は、ＶｏＩＰ−公衆電話回線切り換え部１３は、Ｖ．２３受信部４側に切り換える。
【００２８】
電話機から発呼されたダイヤルデータは、電話機切り換え部１４、ＶｏＩＰ−公衆電話回線切り換え部１３、Ｖ．２３受信部５、極性識別部４、スプリッタ２を介して、公衆電話回線１に送出される。後は、従来の公衆電話回線を用いた通話なので詳細説明は、割愛する。
【００２９】
公衆電話回線を提供する電話会社の電話サービス：モデムダイヤルインの対応動作について説明する。
【００３０】
公衆電話回線に対して、モデムダイヤルインサービスの契約を行なったとする。
【００３１】
ＴＥＬ接続部１６〜１９にそれぞれ電話機が接続されているとすると、モデムダイヤルインサービスにより、このＴＥＬ接続端子１６、１７、１８、１９の各々の電話機を通話相手が識別して電話による通話を行なうことができる。通話相手が、ＴＥＬ接続部１６に接続されている電話機に対して、モデムダイヤルインサービスで割り当てられた電話番号を発呼する。公衆電話回線の交換機は、まず回線極性を反転する動作を行なう。それを極性識別部４が検出する。
【００３２】
次に、起動信号が同じく公衆電話回線の交換機から送られて来る。
【００３３】
これは、Ｖ．２３受信部にて検出し、次ぎに送られて来るＶ．２３によるモデムダイヤルイン信号に対してＶ．２３受信部５は、準備する。
【００３４】
送られてきたモデムダイヤルイン信号をＶ．２３受信部がデコードしその情報をＣＰＵ６に出力する。
【００３５】
この内容により、ＣＰＵ６は、ＶｏＩＰ切り換え部１３、接続電話機切り換え部１４を制御して、ＴＥＬ接続部１６〜１９に接続された電話機と公衆電話回線１とが接続するようにする。この後、通話相手からの呼出信号が公衆電話回線１を経由して該当する電話機に送られ通話動作が開始される。
【００３６】
なお、この時、ＴＥＬ接続部１６、１７、１８、１９に接続された電話機の呼出信号を識別するために変更する場合は、擬似呼び出し信号発生部１５により予め登録されている複数の呼び出し信号を、それぞれのＴＥＬ接続部に割り当てることで対応可能とするものである。
【００３７】
以上が、本発明の一実施例についての説明である。
【００３８】
図２は、本特許の一実施例の動作を示すフローチャートである。
【図面の簡単な説明】
【００３９】
【図１】本発明の一実施例を示した図面である。
【図２】本発明の一実施例に基づいたフローチャートである。
【符号の説明】
【００４０】
１  公衆電話回線
２  スプリッタ回路
３  ＡＤＳＬＭＤＥＭ（モデム）
４  極性識別部
５  Ｖ．２３受信部
６  ＣＰＵ
７  ＲＯＭ
８  ＲＡＭ
９  パケット送受信部
１０  アナログ信号デジタル信号変換部
１１  デジタル信号アナログ信号変換部
１２  表示部
１３  ＶｏＩＰ−公衆電話回線切り換え部
１４  接続電話切り換え部
１５  擬似呼び出し信号発生部
１６  ＴＥＬ接続部
１７  ＴＥＬ接続部
１８  ＴＥＬ接続部
１９  ＴＥＬ接続部
２０  ＬＡＮ接続部
２１  電源部
【図１】
2006025102.tif 000003
【図２】
2006025102.tif 000004